【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
複数の電極を有する電子部品の特徴を表す部品ライブラリデータの作成方法において、前記電子部品をカメラで撮像してモニターに表示させ、この撮像結果に基づき前記電子部品の電極を検出し、個々の電極について各電極の位置を求めるとともに、前記電極の検出結果に基づいて、モニター上で本当の電極でないと確認されたものを削除することを特徴とする部品ライブラリデータの作成方法。
【請求項２】
複数の電極を有する電子部品の特徴を表す部品ライブラリデータの作成方法において、前記電子部品をカメラで撮像してモニターに表示させ、この撮像結果に基づき前記電子部品の電極を検出し、個々の電極について各電極の位置を求めるとともに、この検出結果に基づき実画像上に重ねて各電極のグラフィックスを描画し、前記電極の検出結果に基づいて、モニター上で本当の電極でないと確認されたものを削除することを特徴とする部品ライブラリデータの作成方法。
【請求項３】
複数の電極を有する電子部品の特徴を表す部品ライブラリデータの作成方法において、前記電子部品をカメラで撮像してモニターに表示させ、この撮像結果に基づき前記電子部品の個々の電極について各電極の位置を求めるとともに、位置を求める電極数を増加することを特徴とする部品ライブラリデータの作成方法。
【請求項４】
複数の電極を有する電子部品の特徴を表す部品ライブラリデータの作成方法において、前記電子部品をカメラで撮像してモニターに表示させ、この撮像結果に基づき前記電子部品の個々の電極について実画像上に重ねて各電極のグラフィックスを描画して各電極の位置を求めるとともに、前記グラフィックスを描画する電極数を増加することを特徴とする部品ライブラリデータの作成方法。
【請求項５】
複数の電極を有する電子部品の特徴を表す部品ライブラリデータの作成装置において、前記電子部品をカメラで撮像してモニターに表示させ、この撮像結果に基づき前記電子部品の電極を検出し、個々の電極について各電極の位置を求めるとともに、前記電極の検出結果に基づいて、モニター上で本当の電極でないと確認されたものを削除することができることを特徴とする部品ライブラリデータの作成装置。
【請求項６】
複数の電極を有する電子部品の特徴を表す部品ライブラリデータの作成装置において、前記電子部品をカメラで撮像してモニターに表示させ、この撮像結果に基づき前記電子部品の個々の電極について各電極の位置を求めるとともに、位置を求める電極数を増加することができることを特徴とする部品ライブラリデータの作成装置。
【請求項７】
複数の電極を有する電子部品を基板に装着する電子部品装着装置において、前記電子部品を部品認識カメラで撮像してモニターに表示させ、この撮像結果に基づき前記電子部品の電極を検出し、個々の電極について各電極の位置を求めると共に前記電極の検出結果に基づいて、モニター上で本当の電極であるか否かを確認して電極でないものを削除することができることを特徴とする電子部品装着装置。
【請求項８】
複数の電極を有する電子部品を基板に装着する電子部品装着装置において、前記電子部品を部品認識カメラで撮像してモニターに表示させ、この撮像結果に基づき前記電子部品の電極を検出し、個々の電極について各電極の位置を求めると共にこの検出結果に基づき実画像上に重ねて各電極のグラフィックスを描画し、前記電極の検出結果に基づいて、前記電極の検出結果に基づいて、モニター上で本当の電極でないと確認されたものを削除することができることを特徴とする電子部品装着装置。
【請求項９】
複数の電極を有する電子部品を基板に装着する電子部品装着装置において、前記電子部品を部品認識カメラで撮像してモニターに表示させ、この撮像結果に基づき前記電子部品の個々の電極について各電極の位置を求めるとともに、位置を求める電極数を増加することができることを特徴とする電子部品装着装置。
【請求項１０】
複数の電極を有する電子部品を基板に装着する電子部品装着装置において、前記電子部品を部品認識カメラで撮像してモニターに表示させ、この撮像結果に基づき前記電子部品の個々の電極について実画像上に重ねて各電極のグラフィックスを描画して各電極の位置を求めるとともに、前記グラフィックスを描画する電極数を増加することができることを特徴とする電子部品装着装置。
【手続補正２】
【補正対象書類名】明細書
【補正対象項目名】発明の名称
【補正方法】変更
【補正の内容】
【発明の名称】部品ライブラリデータの作成方法、部品ライブラリデータの作成装置及び電子部品装着装置
【手続補正３】
【補正対象書類名】明細書
【補正対象項目名】０００１
【補正方法】変更
【補正の内容】
【０００１】
本発明は、複数の電極を有する電子部品の特徴を表す部品ライブラリデータの作成方法、作成装置及び複数の電極を有する電子部品を基板に装着する電子部品装着装置に関する。
【手続補正４】
【補正対象書類名】明細書
【補正対象項目名】０００６
【補正方法】変更
【補正の内容】
【０００６】
このため第１の発明は、複数の電極を有する電子部品の特徴を表す部品ライブラリデータの作成方法において、前記電子部品をカメラで撮像してモニターに表示させ、この撮像結果に基づき前記電子部品の電極を検出し、個々の電極について各電極の位置を求めるとともに、前記電極の検出結果に基づいて、モニター上で本当の電極でないと確認されたものを削除することを特徴とする。
【手続補正５】
【補正対象書類名】明細書
【補正対象項目名】０００７
【補正方法】変更
【補正の内容】
【０００７】
第２の発明は、複数の電極を有する電子部品の特徴を表す部品ライブラリデータの作成方法において、前記電子部品をカメラで撮像してモニターに表示させ、この撮像結果に基づき前記電子部品の電極を検出し、個々の電極について各電極の位置を求めるとともに、この検出結果に基づき実画像上に重ねて各電極のグラフィックスを描画し、前記電極の検出結果に基づいて、モニター上で本当の電極でないと確認されたものを削除することを特徴とする。
【手続補正６】
【補正対象書類名】明細書
【補正対象項目名】０００８
【補正方法】変更
【補正の内容】
【０００８】
第３の発明は、複数の電極を有する電子部品の特徴を表す部品ライブラリデータの作成方法において、前記電子部品をカメラで撮像してモニターに表示させ、この撮像結果に基づき前記電子部品の個々の電極について各電極の位置を求めるとともに、位置を求める電極数を増加することを特徴とする。
【手続補正７】
【補正対象書類名】明細書
【補正対象項目名】０００９
【補正方法】変更
【補正の内容】
【０００９】
第４の発明は、複数の電極を有する電子部品の特徴を表す部品ライブラリデータの作成方法において、前記電子部品をカメラで撮像してモニターに表示させ、この撮像結果に基づき前記電子部品の個々の電極について実画像上に重ねて各電極のグラフィックスを描画して各電極の位置を求めるとともに、前記グラフィックスを描画する電極数を増加することを特徴とする。
第５の発明は、複数の電極を有する電子部品の特徴を表す部品ライブラリデータの作成装置において、前記電子部品をカメラで撮像してモニターに表示させ、この撮像結果に基づき前記電子部品の電極を検出し、個々の電極について各電極の位置を求めるとともに、前記電極の検出結果に基づいて、モニター上で本当の電極でないと確認されたものを削除することができることを特徴とする。
第６の発明は、複数の電極を有する電子部品の特徴を表す部品ライブラリデータの作成装置において、前記電子部品をカメラで撮像してモニターに表示させ、この撮像結果に基づき前記電子部品の個々の電極について各電極の位置を求めるとともに、位置を求める電極数を増加することができることを特徴とする。
第７の発明は、複数の電極を有する電子部品を基板に装着する電子部品装着装置において、前記電子部品を部品認識カメラで撮像してモニターに表示させ、この撮像結果に基づき前記電子部品の電極を検出し、個々の電極について各電極の位置を求めると共に前記電極の検出結果に基づいて、モニター上で本当の電極であるか否かを確認して電極でないものを削除することができることを特徴とする。
第８の発明は、複数の電極を有する電子部品を基板に装着する電子部品装着装置において、前記電子部品を部品認識カメラで撮像してモニターに表示させ、この撮像結果に基づき前記電子部品の電極を検出し、個々の電極について各電極の位置を求めると共にこの検出結果に基づき実画像上に重ねて各電極のグラフィックスを描画し、前記電極の検出結果に基づいて、前記電極の検出結果に基づいて、モニター上で本当の電極でないと確認されたものを削除することができることを特徴とする。
第９の発明は、複数の電極を有する電子部品を基板に装着する電子部品装着装置において、前記電子部品を部品認識カメラで撮像してモニターに表示させ、この撮像結果に基づき前記電子部品の個々の電極について各電極の位置を求めるとともに、位置を求める電極数を増加することができることを特徴とする。
第１０の発明は、複数の電極を有する電子部品を基板に装着する電子部品装着装置において、前記電子部品を部品認識カメラで撮像してモニターに表示させ、この撮像結果に基づき前記電子部品の個々の電極について実画像上に重ねて各電極のグラフィックスを描画して各電極の位置を求めるとともに、前記グラフィックスを描画する電極数を増加することができることを特徴とする。
【手続補正８】
【補正対象書類名】明細書
【補正対象項目名】００１０
【補正方法】変更
【補正の内容】
【００１０】
ゴミ等の電極以外のものの位置を電極の位置として含んだ部品ライブラリデータが作成されることを防止できる。また、電極の配置が複雑なものにあっても容易に部品ライブラリデータを作成することができる。